(57)【特許請求の範囲】
【請求項１】
地上に設置されて、所定の幅を有する環状のリング池(1)を同心に複数列に設けるリング壁(2)と、このリング壁(2)の開口部(3)を、隣接するリング池(1)の池水を通過させてマグロを通過させないように塞いでいる通水性区画材(4)と、リング壁(2)の間に設けられる各々のリング池(1)の池水を強制的に流動させる強制流動器(15)とを備え、この強制流動器(15)でもってリング池(1)の池水を回転するように流すようにしてなる地上に設置されるマグロの養殖池であって、
前記通水性区画材(4)が、水平面内においてリング壁(2)に沿う方向に変形されてなる複数の水平ロッド(31)を上下に離して連結してなる格子(30)で、この格子(30)を構成する水平ロッド(31)の間隔は、池水を通過させてマグロを通過させない隙間としており、この格子(30)の通水性区画材(4)でもって、リング壁(2)の開口部(3)を、池水を通過させてマグロを通過しないように塞いでなることを特徴とする地上に設置されるマグロの養殖池。
【請求項２】
リング壁(2)に沿う方向に変形している水平ロッド(31)を、水平面内において、通水性区画材(4)を連結しているリング壁(2)と同じ曲率半径に湾曲している請求項１に記載される地上に設置されるマグロの養殖池。
【請求項３】
前記通水性区画材(4)である格子(30)の水平ロッド(31)が丸パイプである請求項１に記載される地上に設置されるマグロの養殖池。
【請求項４】
前記通水性区画材(4)である格子(30)が、水平ロッド(31)を上下ロッド(32)で連結している請求項１に記載される地上に設置されるマグロの養殖池。
【請求項５】
前記通水性区画材(4)の上下ロッド(32)が、その表面を回転パイプ(37)でカバーしている請求項４に記載される地上に設置されるマグロの養殖池。
【請求項６】
前記通水性区画材(4)の回転パイプ(37)の外径が、水平ロッド(31)の外径よりも小さい請求項５に記載される地上に設置されるマグロの養殖池。
【請求項７】
前記通水性区画材(4)が、格子(30)を構成する水平ロッド(31)の両端を、溝形連結材(38)の溝内に挿入して、この溝形連結材(38)を介して連結されてなる請求項１に記載される地上に設置されるマグロの養殖池。
【請求項８】
前記格子(30)の溝形連結材(38)を介して格子(30)の片側を水平面内で傾動できるように、リング壁(2)の開口部(3)の一方の側縁(3A)に連結している請求項７に記載される地上に設置されるマグロの養殖池。
【発明の詳細な説明】
【技術分野】
【０００１】
本発明は、地上に設置されるマグロの養殖池、すなわち地上にマグロ牧場を設けるもので、とくに池水を一定の方向に流す養殖池に関する。ただし、本明細書においてマグロ牧場に相当する養殖池は、マグロを大きくするためのみではなく、マグロを一時的に畜養する池を含む意味に使用する。
【背景技術】
【０００２】
本発明者は、地上に設置して池水を一定の方向に流す魚の養殖池を開発した。（特許文献１参照）この養殖池は、図１に示すように、複数列のリング壁９２の間に、複数列のリング池９１を同心に配置している。この養殖池は、各々のリング池９１の池水を矢印で示すように流している。この養殖池は、リング池９１の池水の流れに逆らうように魚を泳がせながら、回遊魚のマグロを養殖できる。全体のリング池９１を連結するために、リング壁９２には、一部に開口部９３を設けて、この開口部９３を通水性区画材９４で塞いでいる。通水性区画材９４は、池水を通過させて魚を通過させない網目の網材を使用している。
【特許文献１】実開昭６３−１１９３５７号公報
【発明の開示】
【発明が解決しようとする課題】
【０００３】
図１に示す養殖池は、マグロ等の魚を流れに逆らって遊泳させることから、自然の海に近い環境で魚を生育できる。とくに、この養殖池は、魚を流れに逆らって泳がせることから、魚を勢いよく泳がせながら、魚とリング壁との相対速度を小さくできる。このことは、魚がリング池に接触して受ける損傷を少なくすることに効果がある。しかしながら、この構造の養殖池においても、速く泳ぐマグロを養殖すると、擦り傷を受ける弊害がある。マグロの擦り傷は、網材の通水性区画材に接触して発生する。マグロは擦り傷を受けると、魚肉の品質が著しく低下するばかりでなく、これが原因で死滅することもある。
【０００４】
本発明は、この欠点を解決することを目的に開発されたものである。本発明の重要な目的は、速く泳ぐマグロを、擦り傷を極減しながら元気に養殖できる地上に設置されるマグロの養殖池を提供することにある。
【課題を解決するための手段】
【０００５】
本発明の地上に設置されるマグロの養殖池は、前述の目的を達成するために以下の構成を備える。
マグロの養殖池は、地上に設置されるマグロの養殖池であって、所定の幅を有する環状のリング池１を同心に複数列に設けるリング壁２と、このリング壁２の開口部３を、隣接するリング池１の池水を通過させてマグロを通過させないように塞いでいる通水性区画材４と、リング壁２の間に設けられる各々のリング池１の池水を強制的に流動させる強制流動器１５とを備え、この強制流動器１５でもって、リング池１の池水を回転するように流している。通水性区画材４は、水平面内においてリング壁２に沿う方向に変形されてなる複数の水平ロッド３１を上下に離して連結してなる格子３０である。この格子３０を構成する水平ロッド３１の間隔は、池水を通過させてマグロを通過させない隙間としている。マグロの養殖池は、この格子３０の通水性区画材４でもって、リング壁２の開口部３を、池水を通過させてマグロを通過しないように塞いでいる。
【０００６】
本発明の請求項２の地上に設置されるマグロの養殖池は、リング壁２に沿う方向に変形している水平ロッド３１を、水平面内において、通水性区画材４を連結しているリング壁２と同じ曲率半径に湾曲している。
【０００７】
本発明の請求項３の地上に設置されるマグロの養殖池は、通水性区画材４である格子３０の水平ロッド３１を丸パイプとしている。
【０００８】
本発明の請求項４の地上に設置されるマグロの養殖池は、通水性区画材４である格子３０が、水平ロッド３１を上下ロッド３２で連結している。
【０００９】
本発明の請求項５の地上に設置されるマグロの養殖池は、通水性区画材４の上下ロッド３２が、その表面を回転パイプ３７でカバーしている。
【００１０】
本発明の請求項６の地上に設置されるマグロの養殖池は、通水性区画材４の回転パイプ３７の外径を、水平ロッド３１の外径よりも小さくしている。
【００１１】
本発明の請求項７の地上に設置されるマグロの養殖池は、通水性区画材４が、格子３０を構成する水平ロッド３１の両端を、溝形連結材３８の溝内に挿入して、この溝形連結材３８を介して連結している。
【００１２】
本発明の請求項８の地上に設置されるマグロの養殖池は、格子３０の溝形連結材３８を介して格子３０の片側を水平面内で傾動できるように、リング壁２の開口部３の一方の側縁３Ａに連結している。
【発明の効果】
【００１３】
本発明の地上に設置される養殖池は、速く泳ぐマグロの擦り傷を極減して、元気に養殖できる特徴がある。それは、本発明の養殖池が、従来の養殖池においてマグロに擦り傷を与えていた通水性区画材の網材を独特の構造とするからである。すなわち、本発明は、通水性区画材を水平面内においてリング壁に沿う方向に変形している複数の水平ロッドを上下に離して連結してなる格子とし、この格子を構成する水平ロッドの間隔を、池水を通過させてマグロを通過させない隙間とし、この格子の通水性区画材でもって、リング壁の開口部を、池水を通過させてマグロを通過しないように塞いでいるからである。
【００１４】
とくに、本発明の請求項２の養殖池は、リング壁に沿う方向に変形している水平ロッドを、水平面内において、通水性区画材を連結しているリング壁と同じ曲率半径に湾曲している。この養殖池は、マグロの擦り傷をより少なくできる。それは、格子の水平ロッドをリング壁と同じ曲率半径で湾曲するからである。リング壁と同じように湾曲する水平ロッドは、リング壁に沿って遊泳するマグロが接触することがなく、マグロの擦り傷をさらに少なくできる。
【００１５】
また、本発明の請求項３の養殖池は、格子の水平ロッドを丸パイプとする。この格子は、全体を軽くできると共に、丸パイプによって角がなくなることから、マグロが接触して発生する擦り傷をより少なくできる。
【００１６】
さらに、本発明の請求項４の養殖池は、格子の水平ロッドを上下ロッドで連結しているので、細長い水平ロッドを間隔が変化しないように連結できる。とくに、請求項５の養殖池は、上下ロッドの表面を回転パイプでカバーしている。この上下ロッドは、仮にマグロが接触しても回転パイプが回転して、マグロの擦り傷を防止する。また、本発明の請求項６の養殖池は、回転パイプの外径を、水平ロッドの外径よりも小さくしてるので、回転パイプが水平ロッドの表面から突出することがなく、これにマグロが接触して発生する擦り傷を少なくできる。
【００１７】
さらに、本発明の請求項７のマグロの養殖池は、格子を構成する水平ロッドの両端を、溝形連結材の溝内に挿入して、この溝形連結材を介して連結している。この構造の格子は、多数の水平ロッドの両端を簡単な構造でしっかりと連結できる。とくに、本発明の請求項８の養殖池は、水平ロッドの両端を連結している溝形連結材を介して、格子の片側を、水平面内で傾動できるように、リング壁の開口部の一方の側縁に連結している。この構造は、格子の通水性区画材をリング壁にしっかりと連結しながら、スムーズに傾動できる特徴がある。
【発明を実施するための最良の形態】
【００１８】
以下、本発明の実施例を図面に基づいて説明する。ただし、以下に示す実施例は、本発明の技術思想を具体化するための地上に設置されるマグロの養殖池を例示するものであって、本発明は養殖池を以下のものに特定しない。
【００１９】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２０】
図２ないし図５に示すマグロの養殖池は、地上に設置されて、所定の幅を有する環状のリング池１を同心に複数列に設けるリング壁２と、このリング壁２の開口部３を、隣接するリング池１の池水を通過させてマグロを通過させないように塞いでいる通水性区画材４と、リング壁２の間に設けられる各々のリング池１の池水を強制的に流動させる強制流動器１５とを備える。
【００２１】
リング池１は、所定の幅と高さを有する溝形で上方を開口している。図の養殖池は、３列のリング池１を同心に設けている。３列のリング池１は、最内周リング池１Ａと最外周リング池１Ｃとの間に中間リング池１Ｂを設けて、各々のリング池１の幅を外側に向かって次第に広くしている。リング池１は、たとえば、最内周リング池１Ａの幅を１．５ｍ、中間リング池１Ｂの幅を２ｍ、最外周リング池１Ｃの幅を２．５ｍとする。また、リング池１を構成するリング壁２の高さは、たとえば３．６ｍとする。ただし、本発明の養殖池は、リング池１の幅とリング壁２の高さを特定するものではない。リング池１の幅と深さは、養殖し、あるいは畜養するマグロの種類や大きさを考慮して最適値に設計される。たとえば、リング池１の幅は１ｍ〜５ｍ、リング壁２の高さは５０ｃｍ〜５ｍとすることができる。さらに、以上の養殖池は３列のリング池１を設けているが、本発明の養殖池は３列以上又は２列のリング池を設けることができる。
【００２２】
図の養殖池は、地面に円形のリング壁２を垂直に固定して、リング壁２の間にリング池１を設けている。図４と図５の養殖池は、地面に土間コンクリート２３を打設し、この土間コンクリート２３の上にプラスチック板からなる底板２４を固定している。さらに、底板２４の上に、リング壁２となる円形のプラスチック板を接着又は溶着して垂直に固定して、リング壁２の間にリング池１を設けている。土間コンクリート２３は、たとえば厚さを２０ｃｍとし、プラスチック板は５ｍｍ厚のポリエチレン板を使用する。ただ、土間コンクリートとプラスチック板は厚くして強固にできるので、リング池の大きさによって最適値とする。さらに、図４と図５の養殖池は、最外周のリング壁２の外側にはコンクリート２５を固定して補強している。
【００２３】
隣接するリング池１の間のリング壁２は、一部に開口部３を設けている。この開口部３は、池水を通過できる通水性区画材４でマグロが通過しないように塞いでいる。通水性区画材４は、図６に示すように、複数の水平ロッド３１を上下に離して連結している格子３０である。格子３０の水平ロッド３１は、水平面内においてリング壁２に沿う方向に変形している。格子３０を構成する水平ロッド３１の間隔は、池水を通過させてマグロを通過させない隙間、たとえば、１ｃｍないし５ｃｍとしている。格子３０の通水性区画材４は、リング壁２の開口部３を、池水を通過させてマグロを通過しないように塞いでいる。
【００２４】
格子３０の通水性区画材４は、リング壁２に沿う方向に変形している水平ロッド３１を、水平面内において、通水性区画材４を連結しているリング壁２と同じ曲率半径に湾曲している。この養殖池は、リング壁２と格子３０をひとつの円周上に配置して、リング池１に沿って遊泳するマグロが格子３０に接触するのを有効に防止できる。水平ロッド３１は、ステンレス等の金属製の丸パイプである。ただ、水平ロッドは、必ずしもパイプとする必要はなく、ステンレス等の丸棒も使用できる。また、水平ロッドは、必ずしも丸パイプや丸棒とする必要はなく、たとえば断面を楕円形とし、あるいは多角形とすることもできる。
【００２５】
通水性区画材４の格子３０は、図７と図８に示すように、水平ロッド３１を上下ロッド３２で連結している。上下ロッド３２は、水平ロッド３１の中間の複数カ所を連結して、水平ロッド３１の間隔を一定に保持している。上下ロッド３２は、水平ロッド３１を貫通して一定の間隔に連結する。上下ロッド３２は、水平ロッド３１を一定の間隔に保持するスペーサ筒３３に挿通している。スペーサ筒３３は、上下の水平ロッド３１に挟着されて、水平ロッド３１の間に固定される。上下ロッド３２は一端に鍔３４を有し、他端に雄ネジ３５を設けており、この雄ネジ３５にナット３６をねじ込んで、水平ロッド３１を固定している。さらに、図の通水性区画材４の格子３０は、スペーサ筒３３の表面を回転パイプ３７でカバーしている。回転パイプ３７は、スペーサ筒３３の表面を回転できるようにカバーする。したがって、回転パイプ３７はその内径をスペーサ筒３３の外径よりも大きく、かつ全長をスペーサ筒３３よりも短くしている。回転パイプ３７はステンレス等の金属パイプである。
【００２６】
さらに、通水性区画材４の格子３０は、水平ロッド３１の両端を、溝形連結材３８の溝内に挿入して、この溝形連結材３８を介して連結している。溝形連結材３８もステンレス等の金属製の溝形鋼である。この格子３０は、溝形連結材３８と水平ロッド３１を貫通するように止ネジ３９で固定している。止ネジ３９は、水平ロッド３１を直径方向に貫通するように、溝形連結材３８と水平ロッド３１を貫通して、水平ロッド３１を溝形連結材３８に固定している。水平ロッド３１と溝形連結材３８は、図示しないが、止ネジによらずリベットで連結することができ、また溶接して連結することもできる。
【００２７】
以上に示す格子３０の通水性区画材４は、水平ロッド３１や回転パイプ３７や溝形連結材３８をステンレス等の金属製としている。金属製の格子３０である通水性区画材４は、全体を強固にできる特徴がある。ただ、格子の通水性区画材は、水平ロッドや回転パイプや溝形連結材を、プラスチック製とすることもできる。プラスチック製の格子は、たとえば、ポリ塩化ビニルやポリエチレン等のプラスチックで製作される。このように、プラスチックで製作される通水性区画材は、全体を軽くしながら、低コストに製造できる。
【００２８】
格子３０の通水性区画材４は、溝形連結材３８を介して格子３０の片側を水平面内で傾動できるように、リング壁２の開口部３の一方の側縁３Ａに連結している。図９の拡大断面図に示すように、格子３０は、溝形連結材３８とリング壁２の開口部３の内面に固定している蝶番４０を介して傾動できるようにリング壁２に連結している。格子３０の通水性区画材４は、蝶番４０と反対側の側縁を脱着部４Ａとして、開口部３の他方の側縁３Ｂに脱着できるように連結している。さらに、図６に示す通水性区画材４は、水平面内でスムーズに傾動できるように、脱着部４Ａである溝形連結材３８の下端にローラー４１を設けている。この通水性区画材４は、リング池１の底面に沿ってローラー４１を回転させて、スムーズに傾動できる。
【００２９】
以上の格子３０の通水性区画材４は、脱着部４Ａを外して内側のリング壁２に連結して、マグロを内側のリング池１から外側のリング池１に移送する。図示しないが、通水性区画材は、脱着部を外側のリング壁に連結して、外側のマグロを内側に移送することもできる。図２と図３に示す通水性区画材４は、リング池１の幅よりも広くして、内側又は外側のリング壁２に連結する状態で、リング壁２に対して傾斜する姿勢としている。この通水性区画材４は、マグロをスムーズに隣のリング池１に移送できる。
【００３０】
さらに、図２と図３の養殖池は、最も外側の最外周リング池１Ｃの外側に沿って取上池５を設けている。取上池５は、通水性区画材４を介して最外周リング池１Ｃに連結している。図の養殖池は、取上池５の両端部を通水性区画材４で最外周リング池１Ｃに連結している。この通水性区画材４は、最外周リング池１Ｃの外側壁から内側壁に移動できるように連結しており、通水性区画材４を最外周リング池１Ｃの内側壁に連結して、最外周リング池１Ｃのマグロを取上池５に移動できるようにしている。図３において、取上池５の右端に連結している通水性区画材４は、図の細線で示す位置（図２において矢印Ａで示す方向）に移動して、最外周リング池１Ｃのマグロを取上池５に移送する。通水性区画材４を太線位置に連結して、最外周リング池１Ｃのマグロを取上池５に移送することなく、最外周リング池１Ｃに遊泳させる。さらに、図３において取上池５の左上端部に連結している通水性区画材４は、図の細線で示す位置（図２において矢印Ｂで示す方向）に移動して、取上池５に移したマグロを最外周リング池１Ｃに戻すことができる。最外周リング池１Ｃに取上池５を連結して、通水性区画材４で最外周リング池１Ｃのマグロを取上池５に移送できる養殖池は、マグロを取上池５に入れて簡単に取り出しできる。また、取上池５に移動して取り出ししないマグロは、通水性区画材４を操作して、取上池５から最外周リング池１Ｃに簡単に移動できる。このため、取り出しするマグロを選別しながら能率よくマグロを養殖池から取り出しできる。
【００３１】
リング池１の池水は、強制流動器１５で同じ方向に回転するように流動される。図２ないし図５の強制流動器１５は、ポンプ１６と、このポンプ１６で加圧して排出される池水を噴射するノズル１８を固定している給水パイプ１７とからなる。図２ないし図４の養殖池は、対向する位置に給水パイプ１７を配置している。図において左側に配置される給水パイプ１７に池水を供給するポンプ１６は水中ポンプで、池水を吸入し、これを加圧して給水パイプ１７に供給する。図３と図４において右側に配置される給水パイプ１７に池水を供給するポンプ１６は、後述する浄化槽２８で浄化された水を吸入し、これを加圧して給水パイプ１７に供給する。給水パイプ１７は、リング池１の液面から上方に離れて配置される。この給水パイプ１７は、リング池１を遊泳するマグロが衝突することがない。給水パイプ１７は、所定の間隔で複数のノズル１８を固定している。ノズル１８は、ポンプ１６から供給される池水をリング池１の水面に噴射して、リング池１の池水を加速して、リング池１に沿って回転させる。ノズル１８は、リング池１の池水を流す方向に傾斜して、リング池１の水面に池水を噴射する。養殖池の対向する位置に配置される両方の給水パイプ１７は、ノズル１８から噴射する池水で、池水を同じ方向に回転させる。給水パイプ１７は、リング池１に直交するように配置される。この構造の強制流動器１５は、リング池１の池水を一定の方向に流れるように加速しながら、池水に酸素を補給できる。ただ、本発明の養殖池は、強制流動器１５を以上の構造には特定しない。強制流動器には、リング池の池水を一定の方向に加速して流すことができる全ての構造にできるからである。
【００３２】
強制流動器１５でリング池１に沿って回転するように流される池水は、最内周リング池１Ａの内側に異物を集積させる。ここに集められる異物をリング池１から排出するために、最内周リング池１Ａの池底の内側に、池水を流入させる排水開口６を設けて、この排水開口６に排水管７を連結している。図３の養殖池は、最内周リング池１Ａの池底の内側に沿って排水リング８を設けて、この排水リング８に排水開口６を設けている。図１０は、排水リング８を示す斜視図である。この図の排水リング８は、上方を開口する溝形として排水開口６を設けている。さらに、この図の排水リング８は、複数のリングユニット８Ａに分割されて、分割されたリングユニット８Ａを連結具９で連結している。この構造の排水リング８は、同じ形状のリングユニット８Ａをプラスチックで成形し、これを連結具９で連結して簡単に施工できる。リングユニット８Ａは、最内周リング池１Ａの内側に沿う曲率半径に湾曲する形状であって、上方を開口する溝形に成形される。さらに、リングユニット８Ａは、連結具９に挿入して連結される連結部８ａを筒状とし、この連結部８ａを筒状の連結具９に挿入して簡単に連結できる。とくに、リングユニット８Ａと連結具９をプラスチックで成形し、これを接着剤で接着して簡単に連結できる。この構造の排水リング８は、３つのロッドをＴ字状に連結しているチーズを連結具９に使用し、この連結具９にリングユニット８Ａと排水管７を連結して、排水リング８に排水管７を簡単に連結できる。
【００３３】
溝形の排水リング８で上方を排水開口６とする構造は、最内周リング池１Ａの内側に集められる異物を速やかに外部に排出できる。ただし、本発明の養殖池は、最内周リング池に設ける排水開口をこの構造には特定しない。たとえば、最内周リング池の底部内周に沿って複数の排水開口を設け、各々の排水開口に排水管を連結する構造、また排水リングを多数の貫通孔のあるロッドとすることもできる。また、最内周リング池の底面を内周に沿って溝のある形状に成形し、この溝に排水開口を設けて排水管を連結する構造とすることもできる。
【００３４】
排水開口６を大きく開口する構造は、最内周リング池１Ａの内側に集められる異物を速やかに排出できる。ただ、畜養されるマグロが排水開口に対して小さいと、マグロが排水開口に侵入し、あるいは、排水開口で傷つくおそれがある。したがって、養殖池は、図４の一部拡大断面図に鎖線で示すように、排水開口６に網材１９を配置して、畜養されるマグロが排水開口６に侵入するのを防止することができる。この網材１９には、集められる異物を通過できるが、畜養されるマグロが通過できない網目のものを使用する。また、排水リングを多数の貫通孔のあるロッドとする構造は、ロッドに開口される貫通孔の大きさを、異物を通過できるがマグロが通過できない大きさとしてマグロの侵入を防止できる。
【００３５】
排水管７は、図５に示すように、リング池１の底に埋設されて外部に引き出され、外部の引出部に立上部７Ａを設けている。立上部７Ａは、上端開口部７ａから池水を排水して、池水の水面レベルをコントロールする。池水の水面レベルは、立上部７Ａの上端開口部７ａのレベルにほぼ等しくなるので、立上部７Ａの上端開口部７ａの上下位置を調整してリング池１の水面レベルをコントロールできる。
【００３６】
図に示す立上部７Ａは、池水の水面レベルをコントロールする調整部２９を設けて、上端開口部７ａの高さを調整できる構造としている。図の調整部２９は、立上部７Ａの上端部に連結してなる連結筒２９Ａと、この連結筒２９Ａの上側に、脱着自在に連結される調整筒２９Ｂとからなる。この構造の調整部２９は、連結筒２９Ａに連結される調整筒２９Ｂの長さで上端開口部７ａの高さを調整できる。すなわち、この調整部２９は、連結筒２９Ａに連結する調整筒２９Ｂの長さを短くして、上端開口部７ａを低く、すなわち、池水の水面レベルを低くでき、また、連結筒２９Ａに連結する調整筒２９Ｂの長さを長くして、上端開口部７ａを高く、すなわち、池水の水面レベルを高くできる。この構造の調整部２９は、極めて簡単な構造で、池水の水面レベルを自由に調整できる。ただ、立上部は、図示しないが、伸縮できる二重筒構造として、上端開口部の高さを自由に調整することもできる。
【００３７】
排水管７から排水される池水は、排水槽２６に蓄えられる。排水管７の上端開口部７ａは排水槽２６の内部にあって、ここから排水する池水を排水槽２６に蓄える。排水管７から排水槽２６に流入される池水は、ポンプ２７で浄化槽２８に供給される。浄化槽２８は、ポンプ２７から供給される池水を物理濾過し、さらに生物濾過して清澄な池水とする。浄化槽２８で清澄になった池水は、さらにポンプ１６に吸入されて給水パイプ１７に送られる。給水パイプ１７は、供給される池水をノズル１８から勢いよく噴射して、リング池１に沿って強制的に流動させる。図の養殖池は、リング池１の池水を、最内周リング池１Ａの池底の内側に設けた排水開口６→排水管７→排水槽２６→ポンプ２７→浄化槽２８→ポンプ１６→供給パイプ１７→リング池１に循環して、清澄に保持する。また、循環させる池水をノズル１８から噴射して、池水を強制的に流動させている。ただし、本発明のマグロの養殖池は、排水管から排水される池水を循環することなく外部に排水することで浄化槽を設けない構造とすることもでき、また、浄化槽で清澄になった池水をノズルから噴射することなく、リング池に循環することもできる。
【００３８】
図２ないし図４の養殖池は、リング池１の上方に、各々のリング池１に交差するように、すなわち、リング池１に橋渡しするように交差材２０を配置している。図の交差材２０は、作業用の歩み板２１と、リング池１に水を噴射して池水を加速して流動させる強制流動器１５の給水パイプ１７である。交差材２０は、これらの部材に特定するものでないが、用途を問わず交差材２０があると、リング池１のマグロに損傷を与える。リング池１の流れに逆らって遊泳するマグロが水面から飛び上がって衝突するからである。交差材２０は、ここに衝突したほとんどのマグロを死滅させる。
【００３９】
以上の弊害を解消するために、図２と図３に鎖線で示すように、交差材２０の下面から下流方向に延長して帯状の軟質材２２を配置している。図に示す帯状の軟質材２２は、マグロが衝突しても損傷しない可撓性シート２２Ａである。可撓性シート２２Ａは、図１４に示すように、一端を交差材２０の上流側の下面に固定すると共に、他端部を交差材２０の下流方向に延長して水面上に浮設している。この可撓性シート２２Ａは、図１４に示すように、下流側の先端部が池水の流れの方向に向かって流されて水面上に浮設される。さらに、給水パイプ１７である交差材２０に配設される可撓性シート２２Ａは、ノズル１８から噴射される池水が上面に供給されて、池水を一定の方向に流れるように加速して同じ方向に回転させる。マグロはリング池１の流れに逆らって泳ぐので、水面に飛び上がるマグロは、図１４において右側から左側に飛び跳ねようとする。このとき、可撓性シート２２Ａの下側において、水面に飛び上がろうとするマグロは、図の矢印Ａで示すように、可撓性シート２２Ａの下面に衝突して水中に落下して、交差材２０に衝突するのが阻止される。また、可撓性シート２２Ａの下流側において、水面に沿って飛び跳ねるマグロは、図の矢印Ｂで示すように、可撓性シート２２Ａの上面に落下するが、このマグロは、図１５に示すように、可撓性シート２２Ａに設けたスリット２２ａを通過して水中に戻り、あるいは、強制流動器１５のノズル１８から噴射される水圧で下流方向に押し流されて水中に戻る。このため、流れに逆らって飛び上がるマグロが交差材２０に衝突して損傷するのが阻止される。
【００４０】
図１５の可撓性シート２２Ａは、池水の流れに沿ってリング池１に浮設できるように、両側をリング壁２の内面に沿う湾曲形状としている。さらに、図の可撓性シート２２Ａは、上面に乗り上げたマグロを水中に戻すために、下流側の端部から中間部にかけて、複数列のスリット２２ａを開口して設けている。このスリット２２ａは、上面にマグロが乗り上げた状態では、図の鎖線で示すように拡開して、可撓性シート２２Ａの上面から下面にマグロを通過させて水中に戻す。ただ、図示しないが、このスリットは、下流側の端縁まで延長して開口して、可撓性シートの全体形状をのれん状とすることもできる。可撓性シート２２Ａは、水面から飛び上がるマグロが公差材２０に衝突するのを阻止できるように、飛び跳ねたマグロが水面上を前進する距離よりも長く、たとえば、マグロの体長の２〜５倍の長さとして、先端部を池水の流れに沿って浮設している。
【図面の簡単な説明】
【００４１】
【図１】本発明者が先に開発した魚の養殖池の平面図である。
【図２】本発明の一実施例にかかる地上に設置されるマグロの養殖池の斜視図である。
【図３】図２に示す地上に設置されるマグロの養殖池の概略平面図である。
【図４】図３に示すマグロの養殖池のＡ−Ａ線断面図である。
【図５】図３に示すマグロの養殖池のＢ−Ｂ線断面図である。
【図６】図２に示すマグロの養殖池の通水性区画材を示す斜視図である。
【図７】図６に示す通水性区画材の分解斜視図である。
【図８】図６に示す通水性区画材の垂直断面図である。
【図９】リング壁の開口部と通水性区画材の連結構造を示す拡大断面図である。
【図１０】排水リングの一例を示す斜視図である。
【図１１】図２に示す養殖池の軟質材を示す断面図である。
【図１２】図１１に示す軟質材の平面図である。
【符号の説明】
【００４２】
１…リング池                １Ａ…最内周リング池
１Ｂ…中間リング池
１Ｃ…最外周リング池
２…リング壁
３…開口部                  ３Ａ…側縁
３Ｂ…側縁
４…通水性区画材            ４Ａ…脱着部
５…取出池
６…排水開口
７…排水管                  ７Ａ…立上部
７ａ…開口部
８…排水リング              ８Ａ…リングユニット
８ａ…連結部
９…連結具
１５…強制流動器
１６…ポンプ
１７…給水パイプ
１８…ノズル
１９…網材
２０…交差材
２１…歩み板
２２…軟質材                ２２Ａ…可撓性シート
２２ａ…スリット
２３…土間コンクリート
２４…底板
２５…コンクリート
２６…排水槽
２７…ポンプ
２８…浄化槽
２９…調整部                ２９Ａ…連結筒
２９Ｂ…調整筒
３０…格子
３１…水平ロッド
３２…上下ロッド
３３…スペーサ筒
３４…鍔
３５…雄ネジ
３６…ナット
３７…回転パイプ
３８…溝形連結材
３９…止ネジ
４０…蝶番
４１…ローラー
９１…リング池
９２…リング壁
９３…開口部
９４…通水性区画材
【図１】
0005076145.tif 000002
【図２】
0005076145.tif 000003
【図３】
0005076145.tif 000004
【図４】
0005076145.tif 000005
【図５】
0005076145.tif 000006
【図６】
0005076145.tif 000007
【図７】
0005076145.tif 000008
【図８】
0005076145.tif 000009
【図９】
0005076145.tif 000010
【図１０】
0005076145.tif 000011
【図１１】
0005076145.tif 000012
【図１２】
0005076145.tif 000013